(57)【要約】      （修正有）【課題】コネクタ構造の分野に関し、ＵＳＢオスコネクタの強度を低コストで向上させ、従って、ＵＳＢオスコネクタの曲げ及び割れを防止する、ＵＳＢオスコネクタ及びその随伴電子製品が開示される。【解決手段】ＵＳＢオスコネクタは、絶縁体１と、絶縁体１内に設けられたスロット１１と、スロット１１内に固定された補強構造１２とを含み、ここで、補強構造１２の強度は、絶縁体の強度より大きい。ＵＳＢオスコネクタは、オープン端、及びオープン端の反対側のテール端を有する。スロット１１のソケットが、ＵＳＢオスコネクタのテール端内に位置する。電子製品は、電子製品本体と、ＵＳＢオスコネクタとを含み、ここで、ＵＳＢオスコネクタは、電子製品本体に固定して接続される。【選択図】図２
2014041823.tif 000002
【特許請求の範囲】
【請求項１】
絶縁体を備えるＵＳＢオスコネクタであって、
前記絶縁体内に設けられたスロットと、
前記スロット内に固定された補強構造とを更に備え、
ここで、前記補強構造の強度は前記絶縁体の強度より大きい、ＵＳＢオスコネクタ。
【請求項２】
オープン端、及び前記オープン端の反対側のテール端と、
前記ＵＳＢオスコネクタの前記テール端内に位置する、前記スロットのソケットと
を更に備える、請求項１に記載のＵＳＢオスコネクタ。
【請求項３】
前記スロットは、前記テール端から前記オープン端までの長さの３／５〜４／５だけ前記オープン端から離れた位置まで前記テール端から延在する、
請求項２に記載のＵＳＢオスコネクタ。
【請求項４】
前記スロットは、前記テール端から前記オープン端までの長さの２／３だけ前記オープン端から離れた位置まで前記テール端から延在する、
請求項３に記載のＵＳＢオスコネクタ。
【請求項５】
前記補強構造の断面は、線状、曲線状、又は波状である、
請求項１〜４のいずれか一項に記載のＵＳＢオスコネクタ。
【請求項６】
前記補強構造は、鋼、鉄、又は合金材料でできている、
請求項１〜４のいずれか一項に記載のＵＳＢオスコネクタ。
【請求項７】
電子製品本体と、
請求項１〜６のいずれか一項に記載の前記ＵＳＢオスコネクタとを備え、
ここで、前記ＵＳＢオスコネクタは前記電子製品本体に固定して接続される、
電子製品。
【発明の詳細な説明】
【技術分野】
【０００１】
本発明は、コネクタ構造の分野に関し、特に、ＵＳＢオスコネクタ、及びその随伴電子製品に関する。
【背景技術】
【０００２】
現在、ＵＳＢオスコネクタは、そのシェル材料のために、一般用冷間圧延鋼板（Ｓｔｅｅｌ  Ｐｌａｔｅ  Ｃｏｌｄ  ｒｏｌｌｅｄ  Ｃｏｍｍｅｒｃｉａｌ、ＳＰＣＣ）を使用する。図１に示すように、ＵＳＢオスコネクタを有する電子製品（例えば、データカード）が使用される場合、ＵＳＢオスコネクタの一部が固定される。従って、電子製品が力Ｆによって押された場合、ＵＳＢオスコネクタ７と電子製品本体６との間の移行領域Ａは応力集中を生成し、これは、ＵＳＢオスコネクタの曲げ又は割れを引き起こす可能性がある。ＵＳＢオスコネクタの強度を向上させるために、ステンレス鋼などのより大きな強度を有する材料がシェルのために使用される場合、コストが高くなる。
【発明の概要】
【発明が解決しようとする課題】
【０００３】
本発明の実施形態は、ＵＳＢオスコネクタの強度を低コストで向上させ、従って、ＵＳＢオスコネクタの曲げ及び割れを防止する、ＵＳＢオスコネクタ及びその随伴電子製品を提供する。
【課題を解決するための手段】
【０００４】
前述の技術的問題を解決するために、本発明の一実施形態は、以下の技術的解決法を採用する。
絶縁体を含むＵＳＢオスコネクタは、
絶縁体内に設けられたスロットと、
スロット内に固定された補強構造とを更に含み、ここで、
補強構造の強度は、絶縁体の強度より大きい。
【０００５】
ＵＳＢオスコネクタは、オープン端、及びオープン端の反対側のテール端と、
ＵＳＢオスコネクタのテール端内に位置する、スロットのソケットとを有する。
【０００６】
スロットは、テール端からオープン端までの長さの３／５〜４／５だけオープン端から離れた位置までテール端から延在する。
【０００７】
スロットは、テール端からオープン端までの長さの２／３だけオープン端から離れた位置までテール端から延在する。
【０００８】
補強構造の断面は、線状、曲線状、又は波状である。
【０００９】
補強構造は、鋼、鉄、又は合金材料でできている。
【００１０】
電子製品は、
電子製品本体と、
ＵＳＢオスコネクタとを含み、ここで、
ＵＳＢオスコネクタは、電子製品本体に固定して接続される。
【発明の効果】
【００１１】
ＵＳＢオスコネクタ及びその随伴電子製品の実施形態は、ＵＳＢオスコネクタの絶縁体を作製するプロセスにおいて、補強構造を挿入するためのスロットを提供する。補強構造の強度は大きく、従って、ＵＳＢオスコネクタが応力集中を生成する脆弱な部分の強度が向上し、これにより、ＵＳＢオスコネクタの強度が低コストで向上し、従って、ＵＳＢオスコネクタの曲げ及び割れが防止される。
【図面の簡単な説明】
【００１２】
本発明の実施形態における、又は従来技術における技術的解決法をより明確に説明するために、以下では、実施形態又は従来技術を説明するために必要とされる添付の図面について簡単に紹介する。明らかに、以下の説明における添付の図面は、本発明のいくつかの実施形態を示すものにすぎず、当業者は、これらの添付の図面から、創造的な活動を行うことなく、その他の図面を更に導き出すことが可能である。
【００１３】
【図１】従来技術における電子製品上のＵＳＢオスコネクタの力の概略図である。
【図２】本発明の実施形態によるＵＳＢオスコネクタの構造概略図である。
【図３】図２に示すＵＳＢオスコネクタの概略断面図である。
【図４】本発明の実施形態による別のＵＳＢオスコネクタの構造概略図である。
【図５】本発明の実施形態による別のＵＳＢオスコネクタの構造概略図である。
【図６】本発明の実施形態による電子製品の構造概略図である。
【発明を実施するための形態】
【００１４】
以下では、本発明の実施形態における技術的解決法について、本発明の実施形態における添付の図面を参照して明確かつ完全に説明する。明らかに、説明される実施形態は、本発明の実施形態の全てではなく一部にすぎない。当業者によって、本発明の実施形態に基づいて、創造的な活動を行うことなく取得される全てのその他の実施形態は、本発明の保護範囲内に入る。
【００１５】
図２に示すように、本発明の一実施形態は、絶縁体１と、シェル２と、接触端子３とを含むＵＳＢオスコネクタを提供する。具体的には、絶縁体１は、プラスチック又はゴム材料を通常は使用し、シェル２内に設けられ、接触端子３は、絶縁体１内に設けられる。更に、ＵＳＢオスコネクタは、絶縁体１内に設けられたスロット１１と、スロット１１内に固定された補強構造１２とを含み、ここで、補強構造１２の強度は、絶縁体１の強度より大きい。
【００１６】
ＵＳＢオスコネクタの強度を向上させるために補強構造を使用することの原理は、鉄筋コンクリート構造に由来する。絶縁体を作製するプロセスにおいて、スロットが、スロットに補強構造を挿入するために確保される。補強構造の強度は大きく、従って、ＵＳＢオスコネクタが応力集中を生成する脆弱な部分の強度が向上し、これにより、ＵＳＢオスコネクタの強度が低コストで向上し、従って、ＵＳＢオスコネクタの曲げ及び割れが防止される。
【００１７】
更に、図３に示すように、ＵＳＢオスコネクタは、オープン端４、及びオープン端４の反対側のテール端５を有する。ＵＳＢオスコネクタの応力集中は、ＵＳＢオスコネクタと電子製品本体との間の移行領域において生成され、テール端５は、電子製品本体を接続するように構成される。従って、スロット１１は、ＵＳＢオスコネクタのテール端５に位置し、スロット１１がオープン端４からテール端５まで延在することを可能にする。
【００１８】
更に、スロット１１は、テール端５からオープン端４までの長さの３／５〜４／５だけオープン端４から離れた位置までテール端５から延在する。
【００１９】
好ましくは、スロット１１は、テール端５からオープン端４までの長さの２／３だけオープン端４から離れた位置までテール端５から延在する。
【００２０】
更に、補強構造は、様々な形状を取ってもよく、補強構造の数は１つ以上であってもよい。好ましくは、図２に示すように、補強構造１２の断面は線状である。すなわち、補強構造１２は補強パネルである。図３に示すように、補強構造は、より大きな曲げ力に耐えるように、曲線状又は波状であってもよい。スロットは様々な形状を取ってもよいということに留意されたい。図４又は図５に示すように、スロット１１の断面の形状は矩形である。補強構造１２がスロット１１内に挿入された後、曲線状又は波状の補強構造の山及び谷は、スロット１１の内面に密接に適合する。従って、補強構造は固定される。又は、スロットは、補強構造の形状と同じ形状を取ってもよく、これにより、補強構造がスロットの内面のほとんどに密接に適合することが可能になる。従って、補強構造がスロット内に挿入された後、補強構造は固定される。言い換えると、必要とされるのは、挿入された補強構造をスロットが固定することができるということのみである。
【００２１】
更に、補強構造１２は、鋼、鉄、又は合金材料でできている。
【００２２】
ＵＳＢオスコネクタは、ＵＳＢ−Ａ、ＵＳＢ−Ｂ、又はマイクロＵＳＢなどの、様々なタイプであってもよいということに留意されたい。
【００２３】
絶縁体を作製するプロセスにおいて、スロットが、スロットに補強構造を挿入するために確保される。補強構造の強度は大きく、従って、ＵＳＢオスコネクタが応力集中を生成する脆弱な部分の強度が向上し、これにより、ＵＳＢオスコネクタの強度が低コストで向上し、従って、ＵＳＢオスコネクタの曲げ及び割れが防止される。
【００２４】
図６に示すように、本発明の一実施形態は、電子製品を更に提供する。電子製品は、電子製品本体６と、前述の実施形態で説明されたＵＳＢオスコネクタ７とを含み、ここで、ＵＳＢオスコネクタ７は、電子製品本体６に固定して接続される。具体的には、ＵＳＢオスコネクタ７のテール端は、電子製品６に固定して接続され、ＵＳＢオスコネクタ７の接触端子は、電子製品本体６に接続される。ＵＳＢオスコネクタ７の特定の構造は、前述の実施形態のものと同じであり、これについてはここで再び説明することはしない。
【００２５】
電子製品は、データカード、ＵＳＢフラッシュディスク、又はその他であってもよい。
【００２６】
ＵＳＢオスコネクタの絶縁体を作製するプロセスにおいて、スロットが、スロットに補強構造を挿入するために確保される。補強構造の強度は大きく、従って、ＵＳＢオスコネクタが応力集中を生成する脆弱な部分の強度が向上し、これにより、ＵＳＢオスコネクタの強度が低コストで向上し、従って、ＵＳＢオスコネクタの曲げ及び割れが防止される。
【００２７】
前述の説明は、本発明の特定の実施形態にすぎず、本発明の保護範囲を限定することを意図するものではない。当業者によって、本発明において開示された技術的範囲内で容易に考え出されるいかなる変形又は置換も、本発明の保護範囲内に入る。従って、本発明の保護範囲は、特許請求の範囲の保護範囲によって決まる。
【図１】
2014041823.tif 000003
【図２】
2014041823.tif 000004
【図３】
2014041823.tif 000005
【図４】
2014041823.tif 000006
【図５】
2014041823.tif 000007
【図６】
2014041823.tif 000008
【手続補正書】
【提出日】平成25年9月26日(2013.9.26)
【手続補正１】
【補正対象書類名】明細書
【補正対象項目名】００１７
【補正方法】変更
【補正の内容】
【００１７】
更に、図３に示すように、ＵＳＢオスコネクタは、オープン端４、及びオープン端４の反対側のテール端５を有する。ＵＳＢオスコネクタの応力集中は、ＵＳＢオスコネクタと電子製品本体との間の移行領域において生成され、テール端５は、電子製品本体を接続するように構成される。従って、スロット１１は、ＵＳＢオスコネクタのテール端５に位置し、スロット１１がテール端５からオープン端４の方向に延在することを可能にする。
【手続補正２】
【補正対象書類名】明細書
【補正対象項目名】００２０
【補正方法】変更
【補正の内容】
【００２０】
更に、補強構造は、様々な形状を取ってもよく、補強構造の数は１つ以上であってもよい。好ましくは、図２に示すように、補強構造１２の断面は線状である。すなわち、補強構造１２は補強パネルである。図４又は図５に示すように、補強構造は、より大きな曲げ力に耐えるように、曲線状又は波状であってもよい。スロットは様々な形状を取ってもよいということに留意されたい。図４又は図５に示すように、スロット１１の断面の形状は矩形である。補強構造１２がスロット１１内に挿入された後、曲線状又は波状の補強構造の山及び谷は、スロット１１の内面に密接に適合する。従って、補強構造は固定される。又は、スロットは、補強構造の形状と同じ形状を取ってもよく、これにより、補強構造がスロットの内面のほとんどに密接に適合することが可能になる。従って、補強構造がスロット内に挿入された後、補強構造は固定される。言い換えると、必要とされるのは、挿入された補強構造をスロットが固定することができるということのみである。
【手続補正３】
【補正対象書類名】特許請求の範囲
【補正対象項目名】全文
【補正方法】変更
【補正の内容】
【特許請求の範囲】
【請求項１】
絶縁体を備えるＵＳＢオスコネクタであって、
前記絶縁体内に設けられたスロットと、
前記スロット内に固定された補強構造とを更に備え、
ここで、前記補強構造の強度は前記絶縁体の強度より大きい、ＵＳＢオスコネクタ。
【請求項２】
オープン端、及び前記オープン端の反対側のテール端と、
前記ＵＳＢオスコネクタの前記テール端内に位置する、前記スロットのソケットと
を更に備える、請求項１に記載のＵＳＢオスコネクタ。
【請求項３】
前記スロットは、前記テール端から前記オープン端までの長さの３／５〜４／５だけ前記オープン端から離れた位置まで前記テール端から延在する、
請求項２に記載のＵＳＢオスコネクタ。
【請求項４】
前記スロットは、前記テール端から前記オープン端までの長さの２／３だけ前記オープン端から離れた位置まで前記テール端から延在する、
請求項３に記載のＵＳＢオスコネクタ。
【請求項５】
前記補強構造の断面は、線状、曲線状、又は波状である、
請求項１〜４のいずれか一項に記載のＵＳＢオスコネクタ。
【請求項６】
前記補強構造は、鋼、鉄、又は合金材料でできている、
請求項１〜５のいずれか一項に記載のＵＳＢオスコネクタ。
【請求項７】
電子製品本体と、
請求項１〜６のいずれか一項に記載の前記ＵＳＢオスコネクタとを備え、
ここで、前記ＵＳＢオスコネクタは前記電子製品本体に固定して接続される、
電子製品。
【外国語明細書】
2014041823000001.pdf